(57)【要約】【課題】  ＦＲＰ製の防水床パンよりも低コストで製造することができ、耐久性に優れた浴室の洗い場床を提供することを目的とする。【解決手段】  建築床上に設置されるアジャスタ脚によって支えられる高い硬度を有する床架台１００と、床架台１００の上に載置される床パン２００と、を備え、床パン２００は、床架台１００よりも硬度が低く、熱可塑性樹脂製の発泡成形品であって、架台１００に形成された床パン載置面１００Ａに密接するように載置されたクッション層２０１と、クッション層２０１の上面に密接するとともに、上面が洗い場の表面に露出するように設けられてなり、クッション層２０１よりも高い硬度を有する表面層２０３と、から構成した。【選択図】  図４
2013253454.tif 000002
【特許請求の範囲】
【請求項１】
建築床上に設置されるアジャスタ脚と、
前記アジャスタ脚によって支えられる高い硬度を有する床架台と、
前記床架台の上に載置される床パンと、
を備え、
前記床パンは、
前記床架台よりも硬度が低く、発泡倍率が約６〜１０倍の熱可塑性樹脂製の発泡成形品であって、前記床架台に形成された床パン載置面に密接するように載置されたクッション層と、
前記クッション層の上面に密接するとともに、上面が洗い場の表面に露出するように設けられてなり、前記クッション層よりも高い硬度を有する表面層と、
から構成したことを特徴とする浴室の洗い場構造。
【請求項２】
前記床架台は、前記床パンを支える床パン支持面と前記床パンを支持しない不支持面とが交互に配設されるように波形に成形された鋼板製のデッキプレートを備え、
前記床パン支持面と不支持面の高低差を、前記デッキプレートに載置された前記床パンに人が載った際に、前記クッション層の下面が前記不支持面において下方に撓む寸法よりも大きくしたことを特徴とする請求項１記載の浴室の洗い場床。
【発明の詳細な説明】
【技術分野】
【０００１】
本発明は、床面材として発泡樹脂を用いた浴室の洗い場構造に関する。
【背景技術】
【０００２】
浴室の洗い場用防水パンを軽くして取扱いを容易にするために、無機質材からなる床板と、床板に載せた発泡プラスチック板と、発泡プラスチック板の上に被せた保護層と、で構成した浴室の防水床パンが提案されている（例えば、特許文献１）。この防水床パンは、１０倍発泡のポリスチレンを発泡プラスチック板として用いている。このように、特許文献１に記載されている防水床パンは、発泡プラスチックを主体として形成されているので、従来のようにＦＲＰ（Fiber Reinforced Plastic）等の熱可塑性樹脂で形成するよりも製造コストを抑えることも可能である。
ところが、特許文献１に記載されている防水床パンは、発泡プラスチック板として１０倍発泡のポリスチレンを用いているため、荷重に対する強度が弱い。そのため、防水床パンがすぐに変形してしまい、耐久性が悪いものであった。また、浴室の洗い場床では、その表面に、排水口に向かって傾斜する排水勾配を設けているため、防水床パンが変形すると所定の排水勾配を維持できず、洗い場床に水たまりが残ってしまうという問題が生じる。
【先行技術文献】
【特許文献】
【０００３】
【特許文献１】特開平１１−３４３６５０号公報
【発明の概要】
【発明が解決しようとする課題】
【０００４】
本発明は、上述したような課題を解決するために、ＦＲＰ製の防水床パンよりも低コストで製造することができ、耐久性に優れた浴室の洗い場床を提供することを目的とする。
【課題を解決するための手段】
【０００５】
上記した課題を解決するために、本発明は、建築床上に設置されるアジャスタ脚と、前記アジャスタ脚によって支えられる高い硬度を有する床架台と、前記床架台の上に載置される床パンと、を備え、前記床パンは、前記床架台よりも硬度が低く、発泡倍率が約６〜１０倍の熱可塑性樹脂製の発泡成形品であって、前記床架台に形成された床パン載置面に密接するように載置されたクッション層と、前記クッション層の上面に密接するとともに、上面が洗い場の表面に露出するように設けられてなり、前記クッション層よりも高い硬度を有する表面層と、から構成したことを特徴とする浴室の洗い場構造である。
【０００６】
これによれば、床パンのクッション層は、樹脂材料の発泡倍率を６〜１０倍としたので、洗い場の床パンとして適度な柔らかさをもちつつ、洗い場床上に荷重をかけても変形しにくく、搬送途中で折れたりすることがないため、使い心地が良い上に、施工現場に床パンを搬入する際の取扱い性に優れ、さらには、耐久性に優れたものとなる。
また、床パンは、表面層を除けば発泡樹脂成形品であるので、従来のＦＲＰ製の床パンよりも低コストで製造することができる。
さらに、クッション層は、薄いシート状ではなく、床パンとしての強度を有する程度の厚みを有する発泡樹脂成形体であるから、断熱性も従来のＦＲＰ製の床パンよりも格段に優れたものとなる。そのため、床パンの熱は床下に逃げにくく、床パンに裸足で載ると、床パンの表面に、従来にはない温かみを感じることができる。床パン自体が実質的に発泡樹脂成形品であることから生じる表面の柔らかさに、温かみが加わるので、従来の洗い場床では得られない心地よい感触を得ることができる。
なお、発泡樹脂成形品は、発泡倍率が大きすぎると集中荷重に対する耐久性が悪化し、床パンの表面に凹凸が生じてしまう。一方、発泡倍率を小さくすれば集中荷重に対する耐久性は良好となるが、発泡倍率が小さすぎると折れやすくなってしまう。これに対して、本発明においては、クッション層の発泡倍率は約６〜１０倍であり、集中荷重に対する耐久性、折れにくさ、ともに良好である。
【０００７】
さらに、前記床架台は、前記床パンを支える床パン支持面と前記床パンを支持しない不支持面とが交互に配設されるように波形に成形された鋼板製のデッキプレートを備え、前記床パン支持面と不支持面の高低差を、前記デッキプレートに載置された前記床パンに人が載った際に、前記クッション層の下面が前記不支持面において下方に撓む寸法よりも大きくすることが可能である。
【０００８】
これによれば、床パンは、複数の鋼板が間隔をあけて平行に設置されたデッキプレート上に載置される。そのため、鋼板と鋼板の間の位置の床パンを踏むと、床パンは鋼板と鋼板の間で少し沈み込むように変形し、さらに柔らかさを感じさせることが可能となる。また、鋼板と鋼板の間での床パンの沈み込みが、床パン上を裸足で歩いたときに独特の心地よい感触を得ることができる。
【発明の効果】
【０００９】
本発明によれば、従来のＦＲＰ製の防水床パンよりも低コストで製造することができ、耐久性に優れた浴室の洗い場床を提供することが可能となる。
【図面の簡単な説明】
【００１０】
【図１】本発明の実施の形態にかかる浴室ユニットを表す模式的斜視図である。
【図２】本実施形態の床架台および床パンを表す模式的分解図である。
【図３】本実施形態の床架台１００の断面図である。
【図４】デッキプレート形の床架台１００の上に床パン２００を載置した状態を示す断面図である。
【図５】サンドイッチパネル形の床架台１００の上に床パン２００を載置した状態を示す断面図である。
【発明を実施するための形態】
【００１１】
以下、本発明の実施の形態について図面を参照しつつ説明する。なお、各図面中、同様の構成要素には同一の符号を付して詳細な説明は適宜省略する。
図１は、本発明の実施の形態にかかる浴室ユニットを表す模式的斜視図である。
図２は、本実施形態の床架台および床パンを表す模式的分解図である。
図３は、床架台１００の断面図である。
図４は、デッキプレート形の床架台１００の上に床パン２００を載置した状態を示す断面図である。
【００１２】
まず、本実施形態にかかる浴室の組立方法により組み立てる浴室ユニットについて、図面を参照しつつ説明する。
図１に表した浴室ユニットは、床架台１００と、床パン２００と、浴槽３００と、壁４００と、ドア枠５００と、を備える。
【００１３】
図１に表したように、床架台１００は、浴室設置空間１０の設置面（例えば、建物の床）に設置され、床パン２００の上面にかかる荷重を受け、その位置を保持する。
図２に表したように、床架台１００は、床架台本体１１０と、蓋体１３０と、を有する。床架台本体１１０は、ボルト部を回転させることで高さ調節可能な構造を有するアジャスタ脚１１１を有し、床パン２００を下方から支持する。そして、床架台本体１１０がアジャスタ脚１１１により高さ調整されることで、床パン２００の水平面が確保される。
【００１４】
前述したように、床架台１００は、床パン２００の上面にかかる荷重を受けるため、充分な強度を必要とする。例えば、床架台１００の上部として、鋼材製のデッキプレートが用いられる。床架台１００の上面、すなわちデッキプレートの上面は、床パン２００および浴槽３００が備える各部材の垂直方向の基準位置すなわち水平基準面となる。
【００１５】
床架台本体１１０の中央部には、上下方向に貫通した作業口（開口部）１１３が設けられている。例えば、浴室の組立作業を行う作業者は、作業口１１３から手を入れて床架台１００の下方へ手を伸ばすことで、支持脚１１１の高さ調整を行ったり、床架台１００の裏側において排水管の配設や接続を楽に行うことができる。そして、支持脚１１１の高さ調整を行ったり排水管の配設や接続を行った後に、作業口１１３は、蓋体１３０により塞がれる。
【００１６】
床架台本体１１０には、浴槽側床架台に跨るようにして排水トラップ１８０が取り付けられている。
【００１７】
床パン２００は、床架台１００の床架台本体１１０の上に載置される。
床パン２００は、主として熱可塑性発泡樹脂により形成されている。熱可塑性発泡樹脂としては、例えば発泡ポリプロピレン、発泡ポリエチレン、発泡ポリウレタンなどが挙げられる。熱可塑性発泡樹脂は、リサイクル可能なため、これを用いることで床パン２００の製造・廃棄に伴うＣＯ２排出量を削減して環境に優しい製品を提供できることになる。また、発泡樹脂は、他の成形法に比べて金型費用を低く抑えることができ、従来よりも低価格で浴室を提供できることになる。
床パン２００は、熱可塑性樹脂製であって、周縁部が上側に折り曲げられた浅底の器状（パン状）に形成され、浴室外部に水を漏出させない防水性を有する。また、床パン２００の床架台１００とは反対側の面（表面）の周囲には、壁４００およびドア枠５００が載置される載置部が設けられている。これと同様に、浴槽３００の周囲には、壁４００が載置される載置部が設けられている。
【００１８】
図２に表したように、床パン２００において、浴槽３００との境界部近傍には、排水管に連通する排水部２１０が形成されている。排水部２１０が設けられた部分はくぼんでおり、床パン２００の表面には、排水部２１０に向けて下向き傾斜した排水勾配が付けられている。排水部２１０には、排水トラップ１８０と排水部２１０とを締め付けて床架台１００と床パン２００とを挟持するためのパッキン２２１、ワッシャ２２３、および締付フランジ２２５が取り付けられている。
【００１９】
壁４００は、図１に表したように、浴室ユニットの４面を構成しており、壁面材である第１〜第７の壁パネル４１０〜４７０を有する。隣接する壁パネルの間には、隣接する壁パネル同士を連接する壁面接続部材（ジョイナー）４０５が床パン２００の外周部および浴槽３００の外周部に立設されている。壁面接続部材４０５は、後に詳述する壁面固定部材（ジョイナー取付部）により保持されている。
【００２０】
次に、床パン２００について、詳細に説明する。
図３に示すように、床パン２００は、クッション層２０１と、表面層２０３と、を備えている。
クッション層２０１は、発泡倍率が約６〜１０倍とされた発泡ポリプロピレン製の発泡成形品であり、床架台１００に形成された床パン支持面（床パン載置面）１１０Ａに密接させて載置される。
また、クッション層２０２の表面に密接するようにして、上面が洗い場の表面に露出する表面層２０３が設けられる。この表面層２０３は、クッション層２０１よりも高い硬度を有している。
表面層２０３は、約２ｍｍの厚みに形成されている。
これに対して、クッション層２０１は、外周端部の厚みが約２５ｍｍ、排水部２１０近くの最も厚みが薄い部位で約１０ｍｍである。
【００２１】
この床パン２００は、図４に示すように、床架台１００の床パン載置面に載置される。
床架台１００の床架台本体１１０は、床パン２００が載置されて床パン２００を支持する床パン支持面１１０Ａ（床パン載置面）と、床パン２００が浮いている不支持面１１０Ｂと、が交互に平行に配設されるように、鋼板１１０Ｃを波形に折り曲げて形成したデッキプレートを備えている。鋼板１１０Ｃの波形形状の上段部の上面が床パン支持面１１０Ａ（床パン載置面）となる。
そして、隣り合う床パン支持面１１０Ａ同士の間隔は、約４０ｍｍであり、広すぎないものとなっている。そのため、床パン支持面１１０Ａと不支持面１１０Ｂとは、床パン２００の上に人が載ることによって床パン２００が撓んだ際に、クッション２０１の下面が下方に変形する寸法よりも大きい高低差となる。
【００２２】
このように、本実施形態の洗い場床では、床パン２００のクッション層２０１は、柔らかさをもちながら、硬くて厚いため、適度な柔軟性を備えたものとなる。
また、このクッション層２０１の上に、表面層２０３が密接状に重なっている。
また、クッション層２０１は、発泡樹脂成形体であって、従来の床パンよりも厚く形成されているから、断熱性も従来よりも格段に優れたものとなる。そのため、床パン２００の熱は床下に逃げにくく、床パン２００に裸足で載ると、床パン２００の表面に、従来にはない温かみを感じることができる。そして、床パン２００自体が実質的に発泡樹脂成形品であることから生じる表面の柔らかさに、この温かみが加わるので、従来の洗い場床では得られない心地よい感触を得ることができる。
さらには、従来にはない温かみを得ることができる床パン２００は、床パン支持面１１０Ａが間隔をあけて平行に設置されたデッキプレート上に載置される。そのため、床パン支持面１１０Ａ同士の間の位置の床パン２００を踏むと、床パン２００は床パン支持面１１０Ａと隣接する床パン支持面１１０Ａの間で、すなわち、不支持面１１０Ｂの上方において少し沈み込むように変形して、さらに柔らかさを感じさせることが可能となる。そして、この床パン支持面１１０Ａ同士の間での床パン２００の沈み込みが、床パン２００上を裸足で歩いたときに、独特の心地よい感触を得ることが可能となる。
【００２３】
次に、床架台の変形例について説明する。
図５は、サンドイッチパネル形の床架台本体１１０の上に床パン２００を載置した状態を示す断面図である。
この変形例では、床架台１００の床架台本体１１０として、２枚の鋼板の間に樹脂板等の充填材を挟み込んで形成されたサンドイッチパネルを用いている。このサンドイッチパネル形の床架台は、全体が鋼材で形成されたものに比べて軽量であるが、床パン２００を支持するのに十分な剛性を有するものである。
床架台１００の上面、すなわちサンドイッチパネルの上面は、床パン２００の垂直方向の基準位置すなわち水平基準面となる。
床パン２００は、サンドイッチパネルの上面に載置される。そのため、床パン２００は安定的に支持されることとなる。
【００２４】
この変形例の洗い場床においては、床架台本体１００がデッキプレートではないので、床パン２００は床パン支持面１１０Ａ同士の間で沈み込むように変形することがなく、デッキプレートを用いたものほどの柔らかさは感じられないが、従来にない床表面の温かみは十分得ることができるものである。
【００２５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
例えば、デッキプレート形の床架台本体に代えて、複数の鋼板を間に隙間を空けて平行に並べて床パン支持面を構成させた床架台本体を用いることが可能である。
【符号の説明】
【００２６】
１００    床架台
１１０    床架台本体
１１０Ａ  床パン支持面
１１０Ｂ  不支持面
１１１    アジャスタ脚
２００    床パン
２０１    クッション層
２０３    表面層
【図１】
2013253454.tif 000003
【図２】
2013253454.tif 000004
【図３】
2013253454.tif 000005
【図４】
2013253454.tif 000006
【図５】
2013253454.tif 000007